【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
安全な資源割当のためにコンピュータに実装される方法であって、
第１のエンティティのキャプチャされた画像を検証された認証情報上の画像と比較することによって、前記第１のエンティティを認証することと、
データベースから第２のエンティティの過去の資源管理を記述する一連の履歴データを決定することであって、前記第２のエンティティは組織であって、前記第１のエンティティは前記第２のエンティティを拘束する権限が与えられた、該組織の代理人又は従業員のうちの少なくとも１つであり、前記履歴データは前記第２のエンティティへの過去の資源割当についての情報を含む、ことと
前記一連の履歴データに基づいて、前記第２のエンティティの一連の資源管理事前コミット・パラメータを決定することであって、前記資源管理事前コミット・パラメータはスコアを含み、該スコアは前記第２のエンティティのためのものである、ことと、
前記第１のエンティティから前記第２のエンティティに対応する資源割当要求の画像を受信することと、
光学式文字認識技術を使用して前記資源割当要求の画像を処理することにより、前記資源割当要求の画像から資源割当パラメータを抽出することと、
前記資源管理事前コミット・パラメータ及び前記資源割当要求からの前記資源割当パラメータに基づくオファー・パラメータを含む、前記第２のエンティティのための資源割当オファーを決定することであって、前記資源割当オファーが、複数の相互依存オファー・パラメータを含む、ことと、
前記第２のエンティティの代わりに前記第１のエンティティから前記資源割当オファーの受諾を受信することであって、前記受諾は複数の相互依存オファー・パラメータのうちのいくつかの選択を含む、ことと、
前記第２のエンティティの代わりに前記第１のエンティティによる前記受諾された資源割当オファーに基づいて、前記第２のエンティティに資源を割り振るようにすることと、
を含む、方法。
【請求項２】
前記方法は、
前記第１のエンティティが前記第２のエンティティのために行動し且つ前記第２のエンティティを拘束する権限が与えられていることを認証することであって、認証することは前記第１のエンティティが、前記第２のエンティティを拘束する権限が与えられた前記第２のエンティティの代理人又は従業員のうちの少なくとも１つであることを証明する前記第２のエンティティに関連する権限が与えられた代表者からの検証を含む、ことと、
前記第１のエンティティから履歴データに関する二次文書を受信することと、
光学式文字認識技術を使用して、前記二次文書から前記第２のエンティティの過去の資源管理を記述する一連の二次履歴データを抽出することと、
少なくとも１つの検証ルールを使用して、前記一連の二次履歴データを検証することと、
をさらに含み、
前記一連の履歴データに基づいて、前記第２のエンティティのための一連の資源管理事前コミット・パラメータを決定することは、前記一連の履歴データ及び前記一連の二次履歴データの両方を使用することを含む、請求項１に記載の方法。
【請求項３】
前記複数の相互依存オファー・パラメータの第１のパラメータは、第２のパラメータの選択に基づいて変化する、請求項１に記載の方法。
【請求項４】
前記方法は、実行された資源割当オファーを秘密ブロックチェーン・データベースに記憶することをさらに含む、請求項１に記載の方法。
【請求項５】
前記実行された資源割当オファーのハッシュを計算することと、
前記秘密ブロックチェーン・データベースとは別の公開ブロックチェーン・データベースに前記ハッシュを記憶することと、
をさらに含む、請求項４に記載の方法。
【請求項６】
第１の先取特権サービスに連絡することにより、前記資源管理事前コミットに基づく一般的な先取特権を実行することと、
受諾は、複数の相互依存オファー・パラメータのうちの１つの選択を含み、前記第１のエンティティからの資源割当オファーの前記受諾の受信に応答して、複数の相互依存オファー・パラメータのうちの１つの選択に基づいて特定の先取特権を実行することと、
をさらに含む、請求項１に記載の方法。
【請求項７】
前記第１のエンティティにより受諾された資源割当オファーに基づいて前記第２のエンティティに前記資源を割り当てることは、前記抽出された資源割当パラメータに基づいて決定された第３のエンティティに資源を割り当てることを含む、請求項１に記載の方法。
【請求項８】
安全な資源割当のためのシステムであって、
少なくとも１つのプロセッサと、
その中に記憶された命令を含むメモリと、
を含み、
前記命令が前記少なくとも１つのプロセッサによって実行されると、前記命令は前記プロセッサに、
第１のエンティティのキャプチャされた画像を検証された認証情報上の画像と比較することによって第１のエンティティを認証させることと、
データベースから第２のエンティティの過去の資源管理を記述する一連の履歴データを決定させることであって、該第２のエンティティは組織であって、前記第１のエンティティは該第２のエンティティを拘束する権限が与えられた、該組織の代理人又は従業員のうちの少なくとも１つであり、前記履歴データは前記第２のエンティティへの過去の資源割当についての情報を含む、ことと、
前記一連の履歴データに基づいて前記第２のエンティティに対する一連の資源管理事前コミット・パラメータを決定させることであって、前記資源管理事前コミット・パラメータはスコアを含み、該スコアは前記第２のエンティティのためのものである、ことと、
前記第１のエンティティから前記第２のエンティティに対応する資源割当要求の画像を受信させることと、
光学式文字認識技術を使用して前記資源割当要求の画像を処理することにより、前記資源割当要求の画像から資源割当パラメータを抽出させることと、
前記資源管理事前コミット・パラメータ及び前記資源割当要求に基づいて、前記第２のエンティティのための資源割当オファーを決定させることであって、前記資源割当オファーは複数の相互依存オファー・パラメータを含む、ことと、
前記第２のエンティティの代わりに前記第１のエンティティから前記資源割当オファーの受諾を受信させることであって、前記受諾は、前記複数の相互依存オファー・パラメータのうちのいくつかの選択を含む、ことと、
前記第１のエンティティによる前記受諾された資源割当オファーに基づいて前記第２のエンティティに対して資源を割り振らせることと、
を行わせる、システム。
【請求項９】
前記命令は、さらに、前記プロセッサに、
前記第１のエンティティが前記第２のエンティティのために行動し且つ前記第２のエンティティを拘束する権限が与えられていることを認証することであって、認証することは前記第１のエンティティが、前記第２のエンティティを拘束する権限が与えられた前記第２のエンティティの代理人又は従業員のうちの少なくとも１つであることを証明する前記第２のエンティティに関連する権限が与えられた代表者からの検証を含む、ことと、
前記第１のエンティティから履歴データに関する二次文書を受信させることと、
光学式文字認識技術を使用して前記二次文書から前記第２のエンティティの過去の資源管理を記述する一連の二次履歴データを抽出させることと、
少なくとも１つの検証ルールを使用して前記一連の二次履歴データを検証させることと、
を行わせ、
前記一連の履歴データに基づいて前記第２のエンティティの前記一連の資源管理事前コミット・パラメータを決定することは、前記一連の履歴データ及び前記一連の二次履歴データの両方を使用することを含む、
請求項８に記載のシステム。
【請求項１０】
前記複数の相互依存オファー・パラメータの第１のパラメータは、第２のパラメータの選択に基づいて変化する、請求項８に記載のシステム。
【請求項１１】
前記命令は、さらに、前記プロセッサに、
前記実行された資源割当オファーのハッシュを計算させることと、
前記実行された資源割当オファーを秘密ブロックチェーン・データベースに記憶させることと、
前記秘密ブロックチェーン・データベースとは別の公開ブロックチェーン・データベースにハッシュを記憶させることと、
を行なわせる、請求項８に記載のシステム。
【請求項１２】
前記命令は、さらに、前記プロセッサに、
第１の先取特権サービスに連絡することによって前記資源管理事前コミットに基づいて一般的な先取特権を実行させることと、
受諾は、前記複数の相互依存オファー・パラメータのうちのいくつかの選択を含み、前記第１のエンティティからの前記資源割当オファーの前記受諾の受信に応答して、前記複数の相互依存オファー・パラメータのうちのいくつかの選択に基づいて特定の先取特権を実行させることと、
を行なわせる、請求項８に記載のシステム。
【請求項１３】
前記第１のエンティティによる前記受諾された資源割当オファーに基づいて前記第２のエンティティに前記資源を割り当てることは、前記抽出された資源割当パラメータに基づいて決定された第３のエンティティに資源を割り当てることを含む、請求項８に記載のシステム。
【請求項１４】
前記命令は、さらに、前記プロセッサに、実行された資源割当オファーを秘密ブロックチェーン・データベースに記憶させることを行なわせる、請求項８に記載のシステム。
【請求項１５】
コンピューティング・システムの動作のための命令を含む非一時的機械可読媒体であって、
前記命令は、機械によって実行されたときに、前記機械に、
第１のエンティティのキャプチャされた画像を検証された認証情報上の画像と比較することによって前記第１のエンティティを認証させることと、
データベースから第２のエンティティの過去の資源管理を記述する一連の履歴データを決定させることであって、該第２のエンティティは組織であって、前記第１のエンティティは該第２のエンティティを拘束する権限が与えられた、該組織の代理人又は従業員のうちの少なくとも１つであり、前記履歴データは前記第２のエンティティへの過去の資源割当についての情報を含む、ことと、
前記一連の履歴データに基づいて前記第２のエンティティに対する一連の資源管理事前コミット・パラメータを決定させることであって、前記資源管理事前コミット・パラメータは前記第２のエンティティのためのスコアを含む、ことと、
前記第１のエンティティから前記第２のエンティティに対応する資源割当要求の画像を受信させることと、
光学式文字認識技術を使用して前記資源割当要求の画像を処理することにより、前記資源割当要求の画像から資源割当パラメータを抽出させることと、
前記資源管理事前コミット・パラメータ及び前記資源割当要求に基づいて、前記第２のエンティティのための資源割当オファーを決定させることであって、前記資源割当オファーは複数の相互依存オファー・パラメータを含む、ことと、
前記第２のエンティティの代わりに前記第１のエンティティから前記資源割当オファーの受諾を受信させるであって、前記受諾は、前記複数の相互依存オファー・パラメータのうちのいくつかの選択を含む、ことと、
前記第２のエンティティの代わりに前記第１のエンティティによる前記受諾された資源割当オファーに基づいて前記第２のエンティティに対して資源を割り振らせることと、
を行わせる、非一時的機械可読媒体。
【請求項１６】
前記命令は、さらに、前記機械に、
前記第１のエンティティが前記第２のエンティティのために行動し且つ前記第２のエンティティを拘束する権限が与えられていることを認証することであって、認証することは前記第１のエンティティが、前記第２のエンティティを拘束する権限が与えられた前記第２のエンティティの代理人又は従業員のうちの少なくとも１つであることを証明する前記第２のエンティティに関連する権限が与えられた代表者からの検証を含む、ことと、
前記第１のエンティティから履歴データに関する二次文書を受信させることと、
光学式文字認識技術を使用して前記二次文書から前記第２のエンティティの過去の資源管理を記述する一連の二次履歴データを抽出させることと、
少なくとも１つの検証ルールを使用して前記一連の二次履歴データを検証させることと、
を行わせ、
前記一連の履歴データに基づいて前記第２のエンティティの前記一連の資源管理事前コミット・パラメータを決定することは、前記一連の履歴データ及び前記一連の二次履歴データの両方を使用することを含む、請求項１５に記載の非一時的機械可読媒体。
【請求項１７】
前記複数の相互依存オファー・パラメータの第１のパラメータは、第２のパラメータの選択に基づいて変化する、請求項１５に記載の非一時的機械可読媒体。
【請求項１８】
前記命令は、さらに、前記機械に、
前記実行された資源割当オファーのハッシュを計算させることと、
前記実行された資源割当オファーを秘密ブロックチェーン・データベースに記憶させることと、
秘密ブロックチェーン・データベースとは別の公開ブロックチェーン・データベースにハッシュを記憶させることと、
を行わせる、請求項１５に記載の非一時的機械可読媒体。
【請求項１９】
前記命令は、さらに、前記機械に、
第１の先取特権サービスに連絡することにより、前記資源管理事前コミットに基づいて一般的な先取特権を実行させることと、
受諾は、前記複数の相互依存オファー・パラメータのうちのいくつかの選択を含み、前記第１のエンティティからの前記資源割当オファーの前記受諾の受信に応答して、前記複数の相互依存オファー・パラメータのうちの前記いくつかの選択に基づいて特定の先取特権を実行させることと、
を行わせる、請求項１５に記載の非一時的機械可読媒体。
【請求項２０】
前記第１のエンティティによる受諾された資源割当オファーに基づいて、前記第２のエンティティに前記資源を割り当てることは、前記抽出された資源割当パラメータに基づいて決定された第３のエンティティに資源を割り当てることを含む、請求項１５に記載の非一時的機械可読媒体。